(57)【要約】【課題】不正が生じないタイムスタンプを行うことができ、違法有害情報を簡単な確認手段で早期且つ容易に発見できるインターネット上の情報に対するタイムスタンプ押印システムを提供する。【解決手段】クライアント１０のコンピュータ１１がインターネット上の違法有害情報を発見すると、時刻配信機関４０の時刻配信端末４２が時刻情報４３をインターネット３０に配信する。クライアント１０のコンピュータ１１は、時刻情報４３をもとにインターネット上の電子情報のタイムスタンプ処理を実行し、ページデータの読み込み、時刻取得を行うと共に、時刻情報、ＵＲＬ、ファイルの暗号化を行い、この暗号化された情報をファイルに埋め込み、ファイルに保存し、プロバイダ２０は、ＵＲＬによりプロバイダを特定し、プロバイダサーバ管理機関５０と監視／取締機関６０に通報メールを送る。【選択図】      図１
2004234304.tif 000002
【特許請求の範囲】
【請求項１】
インターネット上に公開され、クライアント端末装置に表示された電子コンテンツ、又は、電子コンテンツのダイジェスト値に対してタイムスタンプを押印するインターネット上に公開された電子コンテンツに対するタイムスタンプ押印システムであり、
上記クライアント端末装置には、タイムスタンプ押印に際して、協定世界時との時刻偏差が検証された高精度時計を所有する時刻配信機関にアクセスし、クライアント端末装置の内部時計を校正する内部時計校正手段と、
上記インターネット上の電子コンテンツを読み取り記憶する電子コンテンツ読み取り／記憶手段と、
読み取った電子コンテンツを基に、ハッシュ値を含むダイジェスト値を求めるダイジェスト値演算手段と、
上記ダイジェスト値と電子コンテンツのＵＲＬとクライアント端末識別ＩＤと現在時刻とを暗号化して上記電子コンテンツに書き込み保存し、又は、関連づけて保存する電子証明書作成手段、
とを備えていることを特徴とするインターネット上に公開された電子コンテンツに対するタイムスタンプ押印システム。
【請求項２】
上記電子証明書が書き込まれた又は関連づけたタイムスタンプ対象電子コンテンツを、インターネットに接続された監視／取締機関又はインターネット上に公開された電子証明書を管理する電子コンテンツ管理者であるプロバイダのサーバに対して送信するように構成したことを特徴とする請求項１に記載のインターネット上に公開された電子コンテンツに対するタイムスタンプ押印システム。
【請求項３】
上記電子証明書には、電子証明書の特定エリアをクリックし、又は、所定のキー操作により電子証明書に記載されたタイムスタンプ対象電子コンテンツのＵＲＬに接続し、且つ、該当ページを構成するハッシュ値を求め、上記電子証明書に記載されたハッシュ値とを比較することで、ページ内容の真贋を確認する手段を備えてなることを特徴とする請求項１又は２に記載のインターネット上に公開された電子コンテンツに対するタイムスタンプ押印システム。
【請求項４】
インターネット上に公開され、クライアント端末装置に表示された電子コンテンツ、又は、電子コンテンツのダイジェスト値に対してタイムスタンプを押印する機能をコンピュータに実施させるためのプログラムを記憶したコンピュータ読み取り可能なプログラム媒体であり、
上記クライアント端末装置に対して、タイムスタンプ押印に際して、協定世界時との時刻偏差が検証された高精度時計を所有する時刻配信機関にアクセスし、クライアント端末装置の内部時計を校正する内部時計校正機能と、
上記インターネット上の電子コンテンツを読み取り記憶する電子コンテンツ読み取り／記憶機能と、
読み取った電子コンテンツを基に、ハッシュ値を求めるダイジェスト値演算機能と、
上記ダイジェスト値と電子コンテンツのＵＲＬとクライアント端末識別ＩＤと現在時刻とを暗号化して上記コンテンツに書き込み保存し、又は、関連づけて保存する電子証明書作成機能、
とを各々コンピュータに実現させるためのプログラムを記録したことを特徴とするコンピュータ読み取り可能なインターネット上に公開された電子コンテンツに対するタイムスタンプ押印用プログラム媒体。
【請求項５】
上記電子コンテンツが書き込まれた又は関連づけられたタイムスタンプ対象電子コンテンツを、インターネットに接続された監視／取締機関又はインターネット上に公開された電子証明書を管理する電子コンテンツ管理者であるプロバイダのサーバに対して送信する機能を備えたことを特徴とする請求項４に記載のコンピュータ読み取り可能なインターネット上に公開された電子コンテンツに対するタイムスタンプ押印用プログラム媒体。
【請求項６】
上記電子証明書の特定エリアをクリックし、又は、所定のキー操作により電子証明書に記載されたタイムスタンプ対象電子コンテンツのＵＲＬに接続し、且つ、該当ページを構成するハッシュ値を求め、上記電子証明書に記載されたハッシュ値とを比較することで、ページ内容の真贋を確認する機能を備えていることを特徴とする請求項４又は５に記載のコンピュータ読み取り可能なインターネット上に公開された電子コンテンツに対するタイムスタンプ押印用プログラム媒体。
【発明の詳細な説明】
【０００１】
【発明の属する技術分野】
本発明は、インターネット上の電子情報に対するタイムスタンプ押印システム及びそのプログラム媒体に係り、特にインターネット上に掲載された情報に対して、現在時刻をタイムスタンプするシステム及びそのプログラム媒体に関するものである。
【０００２】
【従来の技術】
コンピュータによりインターネット上で閲覧可能な文章、画像、映像、音声などのデータを所有するｗｅｂサイトのページに接続すると、コンピュータにインストールされた閲覧ソフトウエアは、そのＵＲＬ（ページの存在位置情報）やページを構成するデータの内容、及び、そのページが作成されたプロバイダのサーバの時刻情報を、当該コンピュータの記憶装置に保存する。同じページに再度接続すると、コンピュータにインストールされた閲覧ソフトウエアは、そのページの時刻を読み込み、自身が記憶している時刻情報と比較し、時刻情報が異なっていれば新しい情報と判断して情報を取得する。同じであればそのページは更新されていないと判断し、記憶装置に保存したページ情報をそのまま再生して処理速度を上げるための方法（キャッシュ）がある。
【０００３】
そのため、上記のような問題に対処するためには、比較した時刻情報が異なっていてもデータを更新しないようにして、違法有害情報にアクセスした時点でそのデータを更新しないようにすれば、違法有害情報にアクセスした時点でそのデータは自動的に保存され、後日閲覧することが可能である。
【０００４】
この種の従来技術として、特許文献１に記載の「電子情報公開証明方法及びシステム、並びに電子情報公開証明プログラムを格納した記憶媒体」がある。
【０００５】
【特許文献１】
特開２００１−１５４９８９号公報
【０００６】
【発明が解決しようとする課題】
しかしながら、上記キャッシュの改良では、ページを作成した時刻情報はプロバイダのサーバの時刻であり、その時点で正確な時刻を刻んでいたか検証する手段がない。また、コンピュータの特性から、比較的簡単にページ内容を修正、変更、あるいは全く新しく作ってしまうことも可能となり、真実性に乏しいという問題があり、違法有害情報を配信した者を特定できたにしても、検挙摘発やその後の判断において、証拠性を検証するのに莫大な労力を要したり、或は、全く証拠としての価値が無くなってしまう可能性もある。
【０００７】
また、上記特許文献１に記載の方法においては、インターネット上に公開された電子コンテンツの内容とその閲覧日時とを記録するためには、サービス機関に依頼をし、サービス機関において電子コンテンツの内容とその閲覧日時とを記録することになるから、面倒なことがあり、できるだけ個人の立場から可能にすることが望まれている。
【０００８】
加えて、電子コンテンツとその証明書とを保管管理したり、所定の第三者機関に対する送信連絡する際における管理をし易くするためにも、工夫を必要とされる。更に、電子証明書に付加する時刻に関しても、その正確さが重要であり、第三者機関における信頼のおける時刻を必要とされる。
【０００９】
一方、インターネット上に公開された情報の内容と日時を保存し証明する為の手法として次ぎの例が挙げられる。即ち、インターネット上の違法有害情報を規制するために、自動公衆送信装置設置者（プロバイダ）は、違法有害情報が記録された時点で、その情報発信者を公安委員会に届け出ることを義務づけ、その送信を防止するために必要な措置を講じるように努めなければならないと「風俗営業等の規制及び業務の適正化等に関する法律」が改正された。
【００１０】
しかしながら、日々発信される膨大な量のデータの中から違法有害情報を検出すること自体が大変であり、検出できたとしてもその違法性について判断が困難な状況が予想され、ゲリラ的な発信であると後日違法性を検証しようとしてもインターネット上に情報が存在しないため、検挙が不可能になる。そこで、発見しだい時刻情報を付加してページを構成するデータをそのまま保存し、事後に違法性を判断することが考えられるが、コンピュータ上の情報データは簡単に修正や変更あるいは全く新しく作成することができるため、標準時刻との時間差が監査されていない時刻情報を付加し、そのまま保存したデータでは証拠性が疑問視される。違法有害情報だけでなく、著作、肖像権の侵害などに該当する場合も同様に考えられる。
【００１１】
そこで、インターネット利用者の有志（サーバボランティア）が違法有害ページを発見したときに、それらに含まれる各種情報（文章、画面、映像、音声などのデータ）に、正確かつ信頼できる時計に由来した時刻情報とインターネット上のページの存在位置（ＵＲＬ）、及び、そのデータの内容に改ざんを加えた場合、検証できるように内容を暗号化した検証手段を組合せ、対象データに埋め込み保存することで、対象データが、その処理を行った時点で確かに存在していたことを証明する手段が必要と考えられる。
【００１２】
本発明は、上述の問題点に鑑みてなされたもので、その目的は、不正が生じないタイムスタンプを行うことができ、違法有害情報を簡単な確認手段で早期且つ容易に発見できるインターネット上の情報に対するタイムスタンプ押印システムを提供することである。
【００１３】
【課題を解決するための手段】
上記目的を達成するために、本発明のインターネット情報へのタイムスタンプ押印システムは、インターネット上に公開され、クライアント端末装置に表示された電子コンテンツ、又は、電子コンテンツのダイジェスト値に対してタイムスタンプを押印するインターネット上に公開された電子コンテンツに対するタイムスタンプ押印システムであり、上記クライアント端末装置には、タイムスタンプ押印に際して、協定世界時との時刻偏差が検証された高精度時計を所有する時刻配信機関にアクセスし、クライアント端末装置の内部時計を校正する内部時計校正手段と、上記インターネット上の電子コンテンツを読み取り記憶する電子コンテンツ読み取り／記憶手段と、読み取った電子コンテンツを基に、ハッシュ値を含むダイジェスト値を求めるダイジェスト値演算手段と、上記ダイジェスト値と電子コンテンツのＵＲＬとクライアント端末識別ＩＤと現在時刻とを暗号化して上記電子コンテンツに書き込み保存し、又は、関連づけて保存する電子証明書作成手段、とを備えていることを特徴とする。
【００１４】
又、本発明は、上記電子証明書が書き込まれた又は関連づけたタイムスタンプ対象電子コンテンツを、インターネットに接続された監視／取締機関又はインターネット上に公開された電子証明書を管理する電子コンテンツ管理者であるプロバイダのサーバに対して送信するように構成したことを特徴とすると共に、上記電子証明書には、電子証明書の特定エリアをクリックし、又は、所定のキー操作により電子証明書に記載されたタイムスタンプ対象電子コンテンツのＵＲＬに接続し、且つ、該当ページを構成するハッシュ値を求め、上記電子証明書に記載されたハッシュ値とを比較することで、ページ内容の真贋を確認する手段を備えてなることを特徴とする。
【００１５】
更に、本発明のタイムスタンプ押印用プログラム媒体は、インターネット上に公開され、クライアント端末装置に表示された電子コンテンツ、又は、電子コンテンツのダイジェスト値に対してタイムスタンプを押印する機能をコンピュータに実施させるためのプログラムを記憶したコンピュータ読み取り可能なプログラム媒体であり、上記クライアント端末装置に対して、タイムスタンプ押印に際して、協定世界時との時刻偏差が検証された高精度時計を所有する時刻配信機関にアクセスし、クライアント端末装置の内部時計を校正する内部時計校正機能と、上記インターネット上の電子コンテンツを読み取り記憶する電子コンテンツ読み取り／記憶機能と、読み取った電子コンテンツを基に、ハッシュ値を求めるダイジェスト値演算機能と、上記ダイジェスト値と電子コンテンツのＵＲＬとクライアント端末識別ＩＤと現在時刻とを暗号化して上記コンテンツに書き込み保存し、又は、関連づけて保存する電子証明書作成機能、とを各々コンピュータに実現させるためのプログラムを記録したことを特徴とする。
【００１６】
また、本発明のタイムスタンプ用プログラム媒体は、上記電子コンテンツが書き込まれた又は関連づけられたタイムスタンプ対象電子コンテンツを、インターネットに接続された監視／取締機関又はインターネット上に公開された電子証明書を管理する電子コンテンツ管理者であるプロバイダのサーバに対して送信する機能を備えたことを特徴とすると共に、上記電子証明書の特定エリアをクリックし、又は、所定のキー操作により電子証明書に記載されたタイムスタンプ対象電子コンテンツのＵＲＬに接続し、且つ、該当ページを構成するハッシュ値を求め、上記電子証明書に記載されたハッシュ値とを比較することで、ページ内容の真贋を確認する機能を備えていることを特徴とする。
【００１７】
【発明の実施の形態】
以下に、本発明の実施例によるインターネット情報へのタイムスタンプ押印システムについて図１から図３を参照しながら説明する。
【００１８】
図１は本発明の実施例によるインターネット情報へのタイムスタンプ押印システムの構成ブロック図であって、図１において１０はインターネット利用者であるサイバーボランティアとしてのクライアント、２０は自動公衆送信装置設置者であるプロバイダ、３０は通信ネットワークであるインターネット、４０は時刻配信機関であって、この時刻配信機関４０は協定世界時（ＵＴＣ）との時刻偏差を検証可能な仕組みを持つ高精度時計を有する。５０はインターネット接続サービスプロバイダ２０のサーバを管理するプロバイダサーバ管理機関、６０は特定の管理サーバ（例えば公安委員会など）である監視／取締機関、７０は違法有害情報発信者である。
【００１９】
クライアント１０は端末装置としてのコンピュータ１１…を有する。プロバイダ２０はクライアント１０のコンピュータ１１…と直接電子情報の送受を行うサーバ２１と、プロバイダサーバ管理機関５０の管理下にあるサ−バ２２とを有する。これ等サーバ２１と２２は通信ネットワークであるインターネット３０を介して接続されている。時刻配信機関４０は原子時計４１と時刻配信機関サーバであるコンピュータ４２を有する。プロバイダサーバ管理機関５０は上記サーバ２２の管理端末であるコンピュータ５１と通信端末としての電話機５２を有する。監視／取締機関６０はコンピュータ６１と通信端末としての電話機６２を有する。違法有害情報発信者７０は、端末装置としてのコンピュータ７１を有し、コンピュータ７１から違法有害情報７２をプロバイダ２０のサーバ２２に送信する。
【００２０】
クライアント１０のコンピュータ１１は、インターネット接続サービスプロバイダ２０のサーバ２１に通信情報１２を送信すると共に、該サーバ２１との電子情報の送受を行う。サーバ２１はインターネット３０を介してサーバ２２との電子情報の送受を行う。時刻配信機関４０の時刻配信サーバ４２は、インターネット３０を介してクライアント１０のコンピュータ１１に高精度な時刻情報４３を付加して、コンピュータ１１の内部時計を校正する。プロバイダサーバ管理機関５０のサーバ管理者端末５１は、サーバ提供機関であるプロバイダ２０のサーバ２２からの情報を受信してサーバを管理する。監視／取締機関６０のコンピュータ６１は、プロバイダ２０のサーバ２２からの通報を受けると共に、電話機６２によってプロバイダサーバ管理機関５０の電話機５２との通信を行う。
【００２１】
クライアント１０のコンピュータ１１は、演算制御部であるＣＰＵ、通信手段、データ入力手段、一方向性関数演算手段、二次元コード化手段、情報出力手段、暗号化手段、情報格納部及び表示手段によって構成される。
【００２２】
時刻配信機関４０の時刻配信サーバ４２は、演算制御部であるＣＰＵ、標準時刻に同期する標準時同期手段、暗号化手段、情報格納部、通信手段、データ入力手段、ライセンスＩＤ照合手段、二次元コード化手段によって構成される。
【００２３】
端末コンピュータ１１において、ＣＰＵは通信手段、データ入力手段、一方向性関数値演算手段、二次元コード化手段、暗号化手段、表示手段及び情報格納部を制御する。即ち、通信手段はＣＰＵの制御の基にインタ−ネット３０を介して時刻配信機関４０の通信手段との通信を実行する。端末コンピュータ１１のデータ入力手段は電子証明書に各種データを入力する。一方向性関数値演算手段はＣＰＵの指令に基づいて一方向性関数値例えばハッシュ値を演算する。二次元コード化手段は演算された一方向性関数値を二次元コードにする。暗号化手段はＣＰＵの指令に基づいて二次元コードを暗号化する。情報格納部は暗号化されたデータを保存する。情報出力手段は暗号化されたデータを出力する。
【００２４】
時刻配信機関４０の時刻配信サーバ４２において、ＣＰＵは、これらの標準時同期手段、暗号化手段、情報格納部、通信手段、データ入力手段、ライセンスＩＤ照合手段、二次元コード化手段の制御を実行すると共に、所要の演算を行う。標準時同期手段は、予め継続的に或はその都度標準時発信機関からの標準時刻を受け入れ、時刻配信機関４０の標準時を設定しておく。更に標準時同期手段はＣＰＵの制御の基に設定された標準時刻を参照して、コンピュータ１１からの電子証明書に現在の標準時刻を付加する。
【００２５】
即ち、上記クライアント側端末であるコンピュータ１１は、タイムスタンプ押印に際して、事前に協定世界時との時刻偏差が検証された高精度時計を所有する時刻配信機関４０にアクセスし、端末コンピュータ自身の内部時計を校正しておく。更に上記インターネット３０上の電子コンテンツを読み取り記憶する。また、端末コンピュータ１１は、読み取った電子コンテンツを基に、ハッシュ値を含むダイジェスト値を求めると共に、上記ダイジェスト値と電子コンテンツのＵＲＬとクライアント端末識別ＩＤと現在時刻とを暗号化して、上記電子コンテンツに書き込み保存し又は関連づけて保存して電子証明書を作成する。
【００２６】
電子証明書が書き込まれた又は関連づけられたタイムスタンプ対象電子コンテンツは、プロバイダサーバ２１とインターネット３０及びプロバイダサーバ２２を介して、監視／取締機関６０又はインターネット上に公開された電子コンテンツ管理者であるプロバイダのサーバ２０に対して送信する。
【００２７】
電子証明書には、電子証明書の特定エリアをクリックし、又は、所定のキー操作により電子証明書に記載されたタイムスタンプ対象電子コンテンツのＵＲＬに接続し、且つ、該当ページを構成するハッシュ値を求め、上記電子証明書に記憶されたハッシュ値とを比較することで、ページ内容の真贋を確認する手段を備えている。
【００２８】
また、各端末コンピュータ１１には、インターネット３０上に公開され、クライアント側端末装置である端末コンピュータ１１に表示された電子コンテンツ、又は電子コンテンツのダイジェスト値に対してタイムスタンプ押印する機能をコンピュータに実施させるためのプログラムを記憶したコンピュータ読み取り可能なタイムスタンプ押印用プログラム媒体が格納されており、このプログラム媒体は、上記クライアント端末コンピュータ１１に対して、タイムスタンプ押印に際して、事前に協定世界時との時刻偏差が検証された高精度時計を所有する時刻配信機関４０にアクセスし、クライアント端末コンピュータ１１の内部時計を校正する内部時計校正機能により常に信頼できる時刻情報と、上記インタ−ネット３０上の電子コンテンツを読み取り記憶する電子コンテンツ読み取り／記憶機能と、読み取った電子コンテンツを基に、ハッシュ値を求めるダイジェスト値演算機能と、上記ダイジェスト値と電子コンテンツのＵＲＬとクライアント端末識別ＩＤと現在時刻とを暗号化して上記コンテンツに書き込み保存し、又は、関連づけて保存する電子証明書作成機能とを各々コンピュータに実現させるためのプログラムを記録したものである。
【００２９】
更に、タイムスタンプ押印用プログラム媒体は、電子コンテンツが書き込まれた、又は、関連づけられたタイムスタンプ対象電子コンテンツをインターネット３０に接続された監視／取締機関６０又はインターネット３０上に公開された電子コンテンツ管理者であるプバイダのサーバ２０に対して送信する機能を備えていると共に、電子証明書の特定エリアをクリックし、又は、所定のキー操作により電子証明書に記載されたタイムスタンプ対象電子コンテンツのＵＲＬに接続し、且つ、該当ページを構成するハッシュ値を求め、上記電子証明書に記憶されたハッシュ値とを比較することで、ページ内容の真贋を確認する機能を備えている。
【００３０】
本発明の実施の形態においては、インターネットに接続可能なコンピュータにおいて、インターネット３０上のｗｅｂサイト内の各ページを構成するデータを、忠実に再現できる保存可能なソフトウエアを用意し、保存処理を実行する際に、実行した時刻のタイムスタンプを付与するｗｅｂサイト存在証明ソフトウエアにおいて、上記タイムスタンプデータを生成するための時刻データを、協定世界時（ＵＴＣ）との時刻偏差を検証可能な仕組みを持つ高精度時計を所有する時刻配信機関４０より供給された時刻データによって校正して、上記インターネット３０に接続可能なコンピュータの内部時計の時刻データとする。上記タイムスタンプデータを生成するための時刻情報は、保存処理を実行する際に、毎回上記時刻配信機関４０から取得してもよいし、事前に取得して信頼できる区間であればその時刻を使用しても良い。上記ｗｅｂサイトソフトウエアによれば、タイムスタンプデータに、ｗｅｂサイトのページを構成するデータ、及び、インターネット上のそのページの存在位置情報（ＵＲＬ）を暗号化してタイムスタンプデータに付加し、保存したｗｅｂサイト内容を変更、改ざんした場合に、暗号化したデータと比較し変更、改ざんが行われたことを検証可能である。
【００３１】
上記ｗｅｂサイトソフトウエアにより、タイムスタンプデータが付与されたｗｅｂサイトのページのＵＲＬより、自動的に発信者の利用しているプロバイダを特定し、保存処理を実行した際、タイムスタンプデータを付与されたｗｅｂページとタイムスタンプデータをプロバイダの管理者に自動的に送信し、上記タイムスタンプを付与されたｗｅｂサイトのページを、特定の管理サーバ（例えば公安委員会など）に自動的に送信し、タイムスタンプの時刻データ順に整理する。自動的に送信されたタイムスタンプデータを付与されたページの真贋を確認するため、タイムスタンプシンボルをクリックすると、タイムスタンプデータに記録されたＵＲＬに自動的に接続し、そのページを構成するデータのハッシュ値を計算し、タイムスタンプデータに記録されたハッシュ値と比較して一致した場合、ページの内容が同一であることを知らせる。
【００３２】
ハッシュ値は一方向性関数であるハッシュ関数によって演算された値であって、一方向性関数は、ある入力を変換し出力するのは簡単であるが逆方向の出力から求めることが困難もしくは不可能な関数である。ハッシュ関数は、広義には大きな定義域から小さな定義域に値を写像する関数であるが、暗号などで利用されるハッシュ関数は、一方向性を持ち、非衝突一致性が有る（元の値が異なるのに結果が同一になる確率が低い）関数である。
【００３３】
図２及び図３は、クライアント１０のサイバーボランティアが違法有害情報を発見した場合、インターネット上で送信された情報の真贋判定の動作フローを示す。
【００３４】
図２に示すように、ステップＳ１で、クライアント１０のサイバーボランティアは、インターネット上の違法有害情報を発見すると、ステップＳ２に進み、タイムスタンプ処理を実行する。ステップＳ３でページデータの読み込みを行い、ステップＳ４で時刻配信機関４０から時刻情報を取得し、ステップＳ５でこの取得した時刻情報とＵＲＬとファイルの暗号化（ハッシュ値計算）を行い、ステップＳ６でファイルへの埋め込みを行う。ステップＳ７でファイルを保存し、ステップＳ８でＵＲＬよりプロバイダの特定を行い、その特定結果をプロバイダサーバ管理機関５０と監視／取締機関６０の公安当局へ通報メールを行う。
【００３５】
また、図３に示すように、ステップＳ９でプロバイダの管理者又は監視取締機関は、通報データを受信すると、ステップＳ１０に進みコンピュータ上に表示されたタイムスタンプシンボルをクリックし、ステップＳ１１でＵＲＬを復号しアクセスする。次ぎにステップＳ１２に進み、ページデータの読み込みを実行し、ステップＳ１３でハッシュ値を計算してファイルを暗号化する。ステップＳ１４で該当ページを構成するハッシュ値と上記電子証明書に記憶されたハッシュ値との比較処理を実行し、ステップＳ１５に進み、ハッシュ値が正しいか否かを判断し、ハッシュ値が正しければステップＳ１６に進みページを開く。ハッシュ値が正しくなければステップＳ１７に進み、通報されたページと該当するページとが異なる可能性があることを表示する。
【００３６】
違法有害情報を発見した時点で、ＵＴＣとトレーサビリティが確保されている高精度の時計を所有する時刻配信機関から配信された時刻情報をもとに運営されているコンピュータを使って、そのページを構成するデータを忠実に保存可能なファイル形式（例えばＰＤＦファイル）に変換し、ＵＲＬ及びその時刻情報を合わせ記憶装置に保存すると同時に、ページを構成するデータ、ＵＲＬ、時刻情報の非衝突性の低い手法で暗号化したものを１元化して保存する。後日そのページは記憶装置から呼び出すことで再現することが可能であり、再度暗号化したものをページ保存時に暗号化したデータと比較することで、保存後の改ざんの有無を検証することが可能となる。
【００３７】
同時に保存したＵＲＬより、比較的簡単に違法有害情報の発信者を特定することが可能となる。保存しないＵＲＬより、発信者が利用しているプロバイダを特定し、そのプロバイダのサーバ管理者に上記データ群を自動的に送信することにより、管理者は速やかに違法有害情報の発信を停止することが可能となる。また、同時に公安委員会などのサーバにも上記データ群を自動的に送信することにより、摘発処罰を速やかに行うことができる。上記時刻配信機関から配信された時刻情報をもとに運営されているコンピュータでなくても、タイムスタンプを実行する度に時刻配信機関に接続し、時刻配信機関から時刻情報を取得して、その時刻データを使ってもよい。
【００３８】
【発明の効果】
以上に説明したように、本発明によれば次ぎのような効果が得られる。即ち、
（１）インターネット上に公開された電子コンテンツに対する掲載日／時刻を記録する際に、時刻配信機関から配信された正しい時刻を使用してタイムスタンプできるから、信頼のおけるタイムスタンプができると共に、タイムスタンプ処理の一連の中で時刻が取り込まれて、暗号化を含むタイムスタンプが行われる。
（２）インターネットにアクセスする所謂サイバボランティアから、電子コンテンツに対するタイムスタンプされた電子証明書を公安委員会の監視／取締機関や、インターネット上のサーバを管理するプロバイダの所有するサーバ端末宛に送付することで、電子コンテンツの掲載日時を含むその証拠と共に違法有害情報を早期に且つ容易に発見することができ、その再発防止が可能になる。
（３）  電子コンテンツに付加された電子証明書におけるクリック操作又はキー操作に基づき、記憶された又は、監視／取締機関に送られた電子コンテンツの中身が変更又は改ざんを確認することが可能である。即ち、電子コンテンツのハッシュ値と添付された電子証明書のハッシュ値と比較することで、その確認が可能であり、確認手段が極めて簡単で効果的である。
（４）  また、違法有害情報のＵＲＬと存在時刻、及び、その内容を正確且つ改ざんがあれば検出可能な状態で保存することにより、その情報発信者を検挙、処罰する際に非常に強力で堅固な物証となり、今後さらに発展するであろうインターネット等による情報化された社会の公序良俗を守る上で非常に有効な手段となる。
【図面の簡単な説明】
【図１】本発明の実施例によるインターネット上の情報へのタイムスタンプ押印システムの概略構成を示すブロック図。
【図２】本発明の実施例によるインターネット上の電子情報に対するタイムスタンプ押印システムにおける動作フロー図。
【図３】本発明の実施例による電子情報に対するタイムスタンプ押印システムにおける動作フロー図。
【符号の説明】
１０            クライアント
１１            端末装置であるコンピュータ
２０            プロバイダ
２１，２２      プロバイダのサーバ
３０            インターネット
４０            時刻配信機関
４１            原子時計
４２            時刻配信サーバ
５０            プロバイダサーバ管理機関
５１            管理サーバであるコンピュータ
６０            監視／取締機関
６１            監視／取締サーバであるコンピュータ
７０            違法有害情報発信者
７１            違法有害情報発信者の端末であるコンピュータ
７２            違法有害情報
【図１】
2004234304.tif 000003
【図２】
2004234304.tif 000004
【図３】
2004234304.tif 000005